(57)【特許請求の範囲】
【請求項１】
網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、
上記網戸枠における下部の横枠の長手方向両側に立設したガイド壁の少なくとも一方の内壁に、該横枠の長手方向に沿う溝部を形成すると共に、上記可動框の下端に取り付けた摺動部材に、可動框の移動方向に突出し、且つ上記横枠における溝部に係合して可動框の該横枠からの抜脱を抑止するつまみ部付きの係合突部を設け、該係合突部を、そのつまみ部の押圧により上記溝部に係合する係合位置から可動框の上記横枠からの抜脱を許容する非係合位置に変位可能とした、
ことを特徴とする巻取式網戸。
【請求項２】
合成樹脂により形成した摺動部材と一体でそこから突出する係合突部の基部に上下方向に巾のある帯状の薄肉部を形成し、この薄肉部の弾性により係合突部を係合位置から非係合位置に変位可能とした、
ことを特徴とする請求項１に記載の巻取式網戸。
【請求項３】
巻取式網戸を左右両開きとし、可動框の上下端にスプリングをネットの巻取用の駆動源とする巻取軸の上下端を保持させ、上記ネットの基端をそれぞれ網戸枠の左右の縦枠に取り付けた、
ことを特徴とする請求項１または２に記載の巻取式網戸。
【請求項４】
上記可動框の上部の摺動部材を、上記可動框の上端の本体に、網戸枠における上部の横枠のガイドレール上を転動する一対の転輪を備えた摺動部を着脱自在に取り付けることにより構成した、
ことを特徴とする請求項１ないし３のいずれかに記載の巻取式網戸。
【発明の詳細な説明】
【０００１】
【発明の属する技術分野】
本発明は、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸に関するものである。
【０００２】
【従来の技術】
概して、網戸枠の上下の横枠に沿ってネットを開閉自在とし、該ネットの開閉操作用の可動框の上下の摺動部材を網戸枠の上下の横枠にガイドさせながら上記ネットを開閉するようにした巻取式網戸においては、上記可動框の下部の摺動部材は、網戸枠における下部の横枠の長手方向両側に立設したガイド壁にガイドされている。
【０００３】
ところが、上記可動框を操作する際に、該可動框の極端に上下に偏った位置で開閉操作等を行うと、可動框の下端が下部の横枠のガイド壁を超える位置まで持ち上げられてしまい、場合によっては可動框の下端が下部の横枠から脱離し、網戸自体の故障や破損を引き起こす可能性がある。
このような問題点に対処して、可動框の下部の摺動部材と下部の横枠とを相互に係合する係合部を設けて、その係合部を、網戸枠の組立に際して、網戸枠の下部の横枠の端部から上記摺動部材が摺動するべく挿入して係合させ、それにより可動框を上下の横枠にガイドさせるようにすることも考えられるが、この場合、一度網戸枠内に可動框を組み付けてしまうと、メンテナンス等のために網戸枠から可動框を取り外すことは極めて難しく、結局網戸全体を分解しなくては可動框を取り外すことができず、結果的にメンテナンス作業が面倒になってしまうという問題点が指摘されている。
【０００４】
【発明が解決しようとする課題】
如上に鑑みて、本発明の技術的課題は、可動框の傾動を可及的に抑制すると共に、可動框の下部が網戸枠における下部の横枠から脱離する虞をなくし、可動框による安定した開閉操作が可能で、しかも網戸のメンテナンス等に際しては、容易に可動框を下部横枠から取り外すことができる巻取式網戸を提供することにある。
【０００５】
【課題を解決するための手段】
上記課題を解決するための本発明は、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、上記網戸枠における下部の横枠の長手方向両側に立設したガイド壁の少なくとも一方の内壁に、該横枠の長手方向に沿う溝部を形成すると共に、上記可動框の下端に取り付けた摺動部材に、可動框の移動方向に突出し、且つ上記横枠における溝部に係合して可動框の該横枠からの抜脱を抑止するつまみ部付きの係合突部を設け、該係合突部を、そのつまみ部の押圧により上記溝部に係合する係合位置から可動框の上記横枠からの抜脱を許容する非係合位置に変位可能としたことを特徴とするものである。
【０００６】
上記巻取式網戸のより具体的な構成においては、合成樹脂により形成した摺動部材と一体でそこから突出する係合突部の基部に上下方向に巾のある帯状の薄肉部を形成し、この薄肉部の弾性により係合突部を係合位置から非係合位置に変位可能とすることができる。
また、巻取式網戸を左右両開きとし、可動框の上下端にスプリングをネットの巻取用の駆動源とする巻取軸の上下端を保持させ、上記ネットの基端をそれぞれ網戸枠の左右の縦枠に取り付けることができる。
さらに、上記可動框の上部の摺動部材を、上記可動框の上端の本体に、網戸枠における上部の横枠のガイドレール上を転動する一対の転輪を備えた摺動部を着脱自在に取り付けることにより構成し、これにより可動框を網戸枠から容易に取り外すことができる。
【０００７】
上記巻取式網戸は、可動框の下端に設けた摺動部材から該可動框の移動方向に突出する係合突部が、網戸枠の下部横枠に設けた溝部に係合して、可動框の傾動を抑止するので、可動框を傾けることなく円滑に操作ができるばかりでなく、可動框の下端が横枠のガイド壁を超えて持ち上げられるようなこともなく、しかも上記係合突部を溝部に対する係合位置と非係合位置に変位可能としているので、それを非係合位置に保持した状態で可動框を傾倒させて、該可動框をメンテナンス等のために横枠から容易に取り外すことができる。
また、上記係合突部を合成樹脂により摺動部材と一体に成形し、その基部に薄肉部を設けることにより、摺動部材を簡単で安価なものとすることができる。
【０００８】
【発明の実施の形態】
以下、本発明の実施の形態を図面に基づいて詳細に説明するに、図１乃至図３は、本発明の巻取式網戸の一実施例を示しており、図中、２は略矩形状をなす網戸枠、４Ａ，４Ｂは該網戸枠２内に左右両開き式に開閉自在に取り付けられた防虫網からなるネット、６Ａ，６Ｂはそれぞれネット４Ａ，４Ｂの端部に取り付けられた開閉操作用の可動框である。
なお、上記左右のネット４Ａ，４Ｂに関連する構造は実質的に同一であるから、以下の説明においては、特に必要がなければネット４Ａに関する構造についてのみ説明し、ネット４Ｂについての説明は補助符号を読み替えるものとして、それらの説明を省略する。
【０００９】
上記ネット４Ａ，４Ｂは、図１及び図２に示すように、それらの一端をそれぞれ上記網戸枠２における左右の縦枠８，１０に取り付るとともに、他端をスプリング１６を巻取用の駆動源とする巻取軸１８Ａ，１８Ｂに固定しており、それらの巻取軸１８Ａ，１８Ｂを、それぞれ可動框６Ａ，６Ｂの框材２２Ａ，２２Ｂ内に回転自在に収容することにより、上記ネット４Ａ，４Ｂを繰り出し及び巻き取り可能に配設している。
【００１０】
上記網戸枠２は、図１及び図２からわかるように、左右の縦枠８，１０及び上下の横枠１２，１４により略矩形状に形成したもので、建物開口部にネジ止めあるいは接着テープ等の適宜手段により固定し得るようになっている。
【００１１】
上記可動框６Ａにおける框材２２Ａは、合成樹脂製又はアルミニウム等の金属製で一部に開口を有する筒状をなし、上記網戸枠２における上下の横枠１２，１４に沿って移動自在の上下の摺動部材２４Ａ，２６Ａを該框材２２Ａの上下端に連結し、該框材２２Ａ内において上記ネット４Ａを巻き付けた巻取軸１８Ａの上下端を上下の摺動部材２４Ａ，２６Ａに回転自在に保持させ、框材２２Ａの上記開口からネット４Ａを導出している。
上記摺動部材２４Ａ，２６Ａは、網戸枠２における上下の横枠１２，１４を摺動して上記可動框６Ａによるネット４Ａの開閉操作を円滑に行うことができるようにするためのもので、さらに具体的には、上記可動框６Ａにおける框材２２Ａの上部に連結した摺動部材２４Ａは、上記框材２２Ａの上端に嵌着する本体３２ａに、上記網戸枠２における上部の横枠１２のガイドレール１２ａ上を転動する一対の転輪３４ａを備えた摺動部３６ａを着脱自在に取り付けることにより構成されており、この摺動部材２４Ａの本体３２ａと摺動部３６ａとは、図４及び図５に明瞭に示すように、該摺動部３６ａを本体３２ａに対して可動框６Ａの移動方向に向くＴ形係合溝３８ａと係合突条４０ａにより挿脱自在に係合させ、上記本体３２ａと摺動部３６ａとを本体３２ａの凸部３２ｂの下方から螺挿するねじ４２ａによって固定している。従って、上記ねじ４２ａの螺脱により、図４に鎖線で示すように摺動部３６ａをガイドレール１２ａ上において本体３２ａから分離することができる。そして、上記摺動部材２４Ａにおける本体３２ａから摺動部３６ａを取り外した状態において、後述するように、上記框材２２Ａを本体３２ａと共に網戸枠２から取り外すことができるようにしている。
【００１２】
一方、上記框材２２Ａの下端に取り付けた摺動部材２６Ａは、図６に示すように、上記下部の横枠１４の長手方向両側に立設したガイド壁１４ａにガイドさせるべく、上記框材２２Ａの下端に嵌着している。そして、該摺動部材２６Ａには、それと一体で上記可動框６Ａの移動方向に突出し、且つ上記下部の横枠１４における溝部１４ｂに係合して可動框６Ａの該横枠１４からの抜脱を抑止する係合突部４４ａを設けている。さらに具体的には、上記摺動部材２６Ａは、弾性的に変形する比較的硬質の合成樹脂で形成されており、該摺動部材２６Ａと一体でそこから突出するつまみ部４５ａ付きの係合突部４４ａの基部に、上下方向に巾のある帯状の薄肉部４６ａを形成し、この薄肉部４６ａの弾性に抗して指先で溝部１４ｂから抜け出す方向（図６の鎖線の位置）につまみ部４５ａを押圧することにより、上記係合突部４４ａを上記溝部１４ｂに係合する係合位置から可動框６Ａの上記横枠１４からの抜脱を許容する非係合位置に変位可能としている。
このように構成すると、上記摺動部材２４Ａにおける本体３２ａから摺動部３６ａを取り外した状態において、上記框材２２Ａを本体３２ａと共に網戸枠２から容易に取り外すことができる。
【００１３】
上記網戸枠２における上部の横枠１２の中央には、それぞれの可動框６Ａ，６Ｂの移動範囲を上記横枠１２の中央部を若干越えた位置まで許容する左右に可動のストッパ３０を設けている。このストッパ３０は、ストッパ本体３０ａの両側面に、上記ネット４Ａの開閉方向に沿う長穴３０ｂを穿設すると共に、該長穴３０ｂに上記可動框６Ａ（６Ｂ）の上部の摺動部材２４Ａ（２４Ｂ）における転輪３４ａが当接する可動部材（ピン）３０ｃを該長穴３０ｂに沿って移動自在に遊嵌することにより形成し、ネットの過度の引出しを抑制するものである。
なお、図１及び図２における符号２８は、可動框６Ａ，６Ｂの衝突の勢いを緩和するための弾性緩衝材、図２中の符号５０は引き戸（障子）、５０Ａ，５０Ｂは巻取式網戸の可動框６Ａ，６Ｂに対して係脱自在の上記引き戸５０における縦枠を示している。
【００１４】
上記構成を有する巻取式網戸は、可動框６Ａの下端に設けた摺動部材２６Ａから該可動框６Ａの移動方向に突出する係合突部４４ａが、網戸枠２の下部の横枠１４に設けた溝部１４ｂに係合して、可動框６Ａの移動面内での傾動を抑止するので、可動框６Ａを傾けることなく円滑に操作ができるばかりでなく、可動框６Ａの下端が横枠１４のガイド壁１４ａを超えて持ち上げられるようなこともない。しかも、上記係合突部４４ａを溝部１４ｂに対する係合位置と非係合位置に変位可能としているので、上部の摺動部材２４Ａにおける摺動部３６ａを本体３２ａから取り外した状態において、係合突部４４ａを非係合位置に保持して可動框６Ａを傾倒させ、該可動框６Ａをメンテナンス等のために横枠１４から容易に取り外すことができる。
また、上記係合突部４４ａを合成樹脂により摺動部材２６Ａと一体に成形し、その基部に薄肉部４６ａを設けることにより形成しているので、当該摺動部材２６Ａを簡単で安価なものとすることができる。
【００１５】
なお、上述した実施例においては、本発明を、左右両開き式に開閉する巻取式網戸に適用した場合について記載したが、それに限定されず、片開き式の巻取式網戸にも適用することができるものである。
また、上記実施例においては、巻取軸１８Ａ，１８Ｂをそれぞれ可動框６Ａ，６Ｂの框材２２Ａ，２２Ｂ内に回転自在に保持した巻取式網戸に適用した場合について記載したが、それに限定されず、網戸枠における左右の縦枠にそれぞれ巻取軸を回転自在に保持させた巻取式網戸に適用することもできる。
【００１６】
【発明の効果】
以上に詳述した如く、本発明の巻取式網戸によれば、可動框の下端に設けた摺動部材から該可動框の移動方向に突出する係合突部が、網戸枠の下部横枠に設けた溝部に係合して、可動框の傾動を抑止するので、可動框を傾けることなく円滑に操作ができるばかりでなく、可動框の下端が横枠のガイド壁を超えて持ち上げられるようなこともなく、しかも上記係合突部を溝部に対する係合位置と非係合位置に変位可能としているので、それを非係合位置に保持した状態で可動框を傾倒させて、該可動框をメンテナンス等のために横枠から容易に取り外すことができる。
また、上記係合突部を合成樹脂により摺動部材と一体に成形し、その基部に薄肉部を設けることにより、摺動部材を簡単で安価なものとすることができる。
【図面の簡単な説明】
【図１】本発明に係る巻取式網戸の部分破断正面図である。
【図２】同平断面図である。
【図３】同側断面図である。
【図４】上記実施例における上部の摺動部材の取付状態を説明するための部分破断拡大斜視図である。
【図５】上記実施例における上部の摺動部材の断面図である。
【図６】上記実施例における下部の摺動部材の構成及び動作を説明するための要部斜視図である。
【符号の説明】
２    網戸枠
４Ａ，４Ｂ  ネット
６Ａ，６Ｂ  可動框
８，１０    縦枠
１２，１４    横枠
１２ａ  ガイドレール
１４ａ  ガイド壁
１４ｂ  溝部
１８Ａ，１８Ｂ  巻取軸
２４Ａ，２４Ｂ，２６Ａ，２６Ｂ  摺動部材
４４ａ  係合突部
４６ａ  薄肉部
【図１】
0003609716.tif 000002
【図２】
0003609716.tif 000003
【図３】
0003609716.tif 000004
【図４】
0003609716.tif 000005
【図５】
0003609716.tif 000006
【図６】
0003609716.tif 000007